(57)【要約】  開閉体のぶかつきを抑制でき剛性感を高める開閉体のロック装置を提供する。このロック装置１０は、ロック部２０とロック片７０，７１とクッション部材８０とを有し、ロック部２０は、開閉体３０の開き止めをなす第１面２１と、第２面２２とを有しており、ロック片の先端部７５には、テーパ面７７及び直線部７９が設けられており、開閉体３０を閉じる際に、テーパ面７７が開口部２の縁部８に当接してロック片が押し込められ、ロック片の先端部７５がロック部２０に係合していない状態では、ロック部２０の第２面２２にロック片のテーパ面７７が対向して配置され、ロック片の先端部７５がロック部２０に係合した状態では、直線部７９がロック部２０の第２面２２に対向して配置される。
2016163365.tif 000002
【特許請求の範囲】
【請求項１】
固定体の開口部に開閉可能に取付けられる開閉体のロック装置であって、
前記開閉体又は前記固定体の開口部のどちらか一方に設けられたロック部と、
前記開閉体又は前記固定体のどちらか他方に配置され、その先端部が前記ロック部に係脱するロック片と、
前記ロック片の先端部を、前記ロック部に係合する方向に付勢する付勢手段と、
前記ロック部は、前記開閉体を開くときに、前記ロック片の先端部に係合して開き止めをなす第１面と、該第１面に対して所定間隔をあけて配置された第２面とを有しており、
前記ロック片の先端部には、前記第１面側の、前記ロック片と前記ロック部との係合しろの方が、前記第２面側の、前記ロック片と前記ロック部との係合しろよりも長くなるように、テーパ面が設けられていると共に、前記ロック片の第２面側には直線部が設けられており、
前記開閉体を閉じる際に、前記ロック片の先端部が前記ロック部に係合していない状態では、前記ロック部の第２面に前記ロック片のテーパ面が対向して配置され、前記ロック片の先端部が前記ロック部に係合した状態では、前記直線部が前記ロック部の第２面に対向して配置されるように構成されていることを特徴とする開閉体のロック装置。
【請求項２】
前記固定体の開口部内面に、前記ロック部が設けられており、同内面は、前記ロック部の第１面に隣接する内面に対して、前記ロック部の第２面に隣接する内面が、前記開口部内側に寄るように位置ずれして形成されている請求項１記載の開閉体のロック装置。
【請求項３】
前記開閉体の、前記固定体の開口部に挿入される部分の外面に、前記ロック部が設けられており、同外面は、前記ロック部の第１面に隣接する外面に対して、前記ロック部の第２面に隣接する外面が、前記開閉体外側に寄るように位置ずれして形成されている請求項１記載の開閉体のロック装置。
【請求項４】
固定体の開口部に開閉可能に取付けられる開閉体のロック装置であって、
前記開閉体又は前記固定体の開口部のどちらか一方に設けられたロック部と、
前記開閉体又は前記固定体のどちらか他方に配置され、その先端部が前記ロック部に係脱するロック片と、
前記ロック片の先端部を、前記ロック部に係合する方向に付勢する付勢手段と、
前記ロック部は、前記開閉体を開くときに、前記ロック片の先端部に係合して開き止めをなす第１面と、該第１面に対して所定間隔をあけて配置された第２面とを有しており、
前記第１面に隣接した面であって、前記第２面から離れる方向に伸びる面には、前記開閉体を閉じるとき、前記ロック片の先端部が当接して、前記ロック片を押し込む方向に案内するガイド面が形成され、
前記第２面に隣接した面であって、前記第１面から離れる方向に伸びる面には、前記第２面から離れながら、前記ロック片の係合解除方向へ伸びるテーパ面が形成されており、
前記ロック片の前記第２面側の面には、前記第１面側の面と平行に伸びる直線部が設けられており、
前記開閉体を閉じる際に、前記ロック片の先端部が前記ロック部に係合していない状態では、前記ロック部のテーパ面に前記ロック片の先端部が対向して配置され、前記ロック片の先端部が前記ロック部に係合した状態では、前記ロック部の前記第２面に前記ロック片の直線部が対向して配置されるように構成されていることを特徴とする開閉体のロック装置。
【請求項５】
前記固定体と前記開閉体の間に配置されるように、前記固定体又は前記開閉体の取付面に、所定長さ突出して取付けられたクッション部材を有しており、
該クッション部材は、前記開閉体を閉じたときに押圧されて、前記開閉体を開き方向に付勢していると共に、前記開閉体を閉じた状態から、更に前記開閉体が押圧されたときに、前記取付面からの突出長さが所定長さ減少するように構成され、その減少範囲内で前記ロック片の直線部が前記ロック部の第２面に当接する請求項１〜４のいずれか１つに記載の開閉体のロック装置。
【請求項６】
前記クッション部材は、前記開閉体又は前記固定体のどちらか一方に固定されるケースと、該ケースにスライド可能に支持され、先端にクッション部を設けた軸部と、該軸部のクッション部を前記開閉体又は前記固定体のどちらか他方に向けて付勢するバネとからなる請求項５記載の開閉体のロック装置。
【請求項７】
前記開閉体を閉じた際の、前記クッション部材の、前記取付面からの突出長さを１としたとき、
前記開閉体を閉じた状態から更に前記開閉体が押圧され、前記クッション部材の、前記取付面からの突出長さが所定長さ減少する際に、前記取付面からの突出長さが１/３となるまでの間に、前記ロック片の直線部が前記ロック部の第２面に当接するように構成されている請求項５又は６記載の開閉体のロック装置。
【発明の詳細な説明】
【技術分野】
【０００１】
本発明は、固定体の開口部に開閉可能に取付けられる開閉体を、閉じた状態にロックするための、開閉体のロック装置に関する。
【背景技術】
【０００２】
例えば、自動車のグローブボックス等の固定体に形成された開口部には、リッド等の開閉体が開閉可能に取付けられている。そして、開口部をリッド等で閉じた状態にロックすると共に、開口部からリッド等を開いた状態とするためのロック装置が設けられている。【０００３】
従来のこの種のロック装置として、下記特許文献１には、車両に形成された開口部の開閉用とされた開閉体のサイドロックに用いられ、開閉体にスライド可能に設けられ、開閉体の側方側へ付勢されたロックロッドと、開口部の内側に設けられ、ロックロッドの先端部が出入するロック孔（挿入部）とを有しており、前記ロックロッドの先端部の、車両の開口部側の面が、テーパ状の先端傾斜面部となっており、前記ロック孔の開口部奥方には、同ロック孔の開口幅を次第に狭くした傾斜部を設けた、車両用サイドロック装置が形成されている。また、開閉体と、車両の開口部の周縁との間には、クッションゴムが配置されている。【０００４】
そして、開口部に対して開閉体を押し込んでいくと、クッションゴムをやや潰しながら、開閉体が閉じていき、ロックロッドの先端部がロック孔に至ると、先端傾斜面部がロック孔の傾斜部に当接して、ロックロッドの先端部がロック孔に係合するので、開閉体が閉じた状態にロックされる。
【先行技術文献】
【特許文献】
【０００５】
【特許文献１】特開２００９−１３８４０７号公報
【発明の概要】
【発明が解決しようとする課題】
【０００６】
上記特許文献１の車両用サイドロック装置においては、経年劣化によりクッションゴムがへたると、開口部を閉じた状態で、開閉体に押し込み力が作用する際に、ロックロッドの先端傾斜面がロック孔の傾斜部に押圧されて、ロックロッドが引き込まれる方向にスライドして、更に開閉体を押し込むことができることとなり、その結果、開閉体のぶかつき（開閉体を所定の閉じ位置から更に押し込むことができること）が生じて、剛性感が低下するおそれがあった。【０００７】
したがって、本発明の目的は、開閉体を所定の閉じ位置から、それ以上押し込まれることを規制して、開閉体のぶかつきを抑制でき剛性感を高めることができる、開閉体のロック装置を提供することにある。
【課題を解決するための手段】
【０００８】
上記目的を達成するため、本発明の１つは、固定体の開口部に開閉可能に取付けられる開閉体のロック装置であって、前記開閉体又は前記固定体の開口部のどちらか一方に設けられたロック部と、前記開閉体又は前記固定体のどちらか他方に配置され、その先端部が前記ロック部に係脱するロック片と、前記ロック片の先端部を、前記ロック部に係合する方向に付勢する付勢手段と、前記ロック部は、前記開閉体を開くときに、前記ロック片の先端部に係合して開き止めをなす第１面と、該第１面に対して所定間隔をあけて配置された第２面とを有しており、前記ロック片の先端部には、前記第１面側の、前記ロック片と前記ロック部との係合しろの方が、前記第２面側の、前記ロック片と前記ロック部との係合しろよりも長くなるように、テーパ面が設けられていると共に、前記ロック片の第２面側には直線部が設けられており、前記開閉体を閉じる際に、前記ロック片の先端部が前記ロック部に係合していない状態では、前記ロック部の第２面に前記ロック片のテーパ面が対向して配置され、前記ロック片の先端部が前記ロック部に係合した状態では、前記直線部が前記ロック部の第２面に対向して配置されるように構成されていることを特徴とする。【０００９】
本発明の開閉体のロック装置においては、前記固定体の開口部内面に、前記ロック部が設けられており、同内面は、前記ロック部の第１面に隣接する内面に対して、前記ロック部の第２面に隣接する内面が、前記開口部内側に寄るように位置ずれして形成されていることが好ましい。【００１０】
本発明の開閉体のロック装置においては、前記開閉体の、前記固定体の開口部に挿入される部分の外面に、前記ロック部が設けられており、同外面は、前記ロック部の第１面に隣接する外面に対して、前記ロック部の第２面に隣接する外面が、前記開閉体外側に寄るように位置ずれして形成されていることが好ましい。【００１１】
本発明のもう１つは、固定体の開口部に開閉可能に取付けられる開閉体のロック装置であって、前記開閉体又は前記固定体の開口部のどちらか一方に設けられたロック部と、前記開閉体又は前記固定体のどちらか他方に配置され、その先端部が前記ロック部に係脱するロック片と、前記ロック片の先端部を、前記ロック部に係合する方向に付勢する付勢手段と、前記ロック部は、前記開閉体を開くときに、前記ロック片の先端部に係合して開き止めをなす第１面と、該第１面に対して所定間隔をあけて配置された第２面とを有しており、前記第１面に隣接した面であって、前記第２面から離れる方向に伸びる面には、前記開閉体を閉じるとき、前記ロック片の先端部が当接して、前記ロック片を押し込む方向に案内するガイド面が形成され、前記第２面に隣接した面であって、前記第１面から離れる方向に伸びる面には、前記第２面から離れながら、前記ロック片の係合解除方向へ伸びるテーパ面が形成されており、前記ロック片の前記第２面側の面には、前記第１面側の面と平行に伸びる直線部が設けられており、前記開閉体を閉じる際に、前記ロック片の先端部が前記ロック部に係合していない状態では、前記ロック部のテーパ面に前記ロック片の先端部が対向して配置され、前記ロック片の先端部が前記ロック部に係合した状態では、前記ロック部の前記第２面に前記ロック片の直線部が対向して配置されるように構成されていることを特徴とする。【００１２】
本発明の開閉体のロック装置においては、前記固定体と前記開閉体の間に配置されるように、前記固定体又は前記開閉体の取付面に、所定長さ突出して取付けられたクッション部材を有しており、該クッション部材は、前記開閉体を閉じたときに押圧されて、前記開閉体を開き方向に付勢していると共に、前記開閉体を閉じた状態から、更に前記開閉体が押圧されたときに、前記取付面からの突出長さが所定長さ減少するように構成され、その減少範囲内で前記ロック片の直線部が前記ロック部の第２面に当接することが好ましい。【００１３】
本発明の開閉体のロック装置においては、前記クッション部材は、前記開閉体又は前記固定体のどちらか一方に固定されるケースと、該ケースにスライド可能に支持され、先端にクッション部を設けた軸部と、該軸部のクッション部を前記開閉体又は前記固定体のどちらか他方に向けて付勢するバネとからなることが好ましい。【００１４】
本発明の開閉体のロック装置においては、前記開閉体を閉じた際の、前記クッション部材の、前記取付面からの突出長さを１としたとき、前記開閉体を閉じた状態から更に前記開閉体が押圧され、前記クッション部材の、前記取付面からの突出長さが所定長さ減少する際に、前記取付面からの突出長さが１/３となるまでの間に、前記ロック片の直線部が前記ロック部の第２面に当接するように構成されていることが好ましい。
【発明の効果】
【００１５】
本発明の１つによれば、開閉体を閉じるときには、ロック片のテーパ面が固定体の縁部又は開閉体の縁部に当接して、ロック片が付勢手段に抗して押し込まれ、ロック片の先端部が固定体のロック部に至ると、付勢手段によってロック片の先端部がロック部に向けて押し出されるので、ロック片がロック部に係合する。その際、ロック片がロック部に完全に係合する前に、ロック片のテーパ面がロック部の第２面に当接し、ロック片が付勢手段によって押し出されることにより、テーパ面をガイドにして開閉体が開口部方向に戻りつつ、ロック片がロック部に完全に係合する。そして、ロック片がロック部に完全に係合すると、ロック片の直線部がロック部の第２面に対向するので、その状態で、ロック片の直線部がロック部の第２面に係合して、開閉体がそれ以上押し込まれることが規制され、開閉体のぶかつきを抑制して、剛性感を高めることができる。【００１６】
本発明のもう１つによれば、開閉体を閉じるときには、ロック片の先端部がロック部のガイド面に当接して、ロック片が付勢手段に抗して押し込まれ、ロック片の先端部が固定体のロック部に至ると、付勢手段によってロック片の先端部がロック部に向けて押し出されるので、ロック片がロック部に係合する。その際、ロック片がロック部に完全に係合する前に、ロック片の先端部がロック部のテーパ面に当接し、ロック片が付勢手段によって押し出されることにより、テーパ面をガイドにして開閉体が開口部方向に戻りつつ、ロック片がロック部に完全に係合する。そして、ロック片がロック部に完全に係合すると、ロック片の直線部がロック部の第２面に対向するので、その状態で、開閉体を更に押し込もうとしても、ロック片の直線部がロック部の第２面に係合するので、開閉体がそれ以上押し込まれることが規制され、開閉体のぶかつきを抑制して、剛性感を高めることができる。
【図面の簡単な説明】
【００１７】
【図１】本発明に係る開閉体のロック装置の第１実施形態を示す分解斜視図である。
【図２】同ロック装置の要部拡大斜視図である。
【図３】同ロック装置により、開閉体を閉じた状態の説明図である。
【図４】同ロック装置により、開閉体を開いた状態の説明図である。
【図５】同ロック装置であって、（ａ）はロック片の先端部がロック部に完全に挿入された状態の要部拡大説明図、（ｂ）はロック片の先端部がロック部に完全に挿入されていない状態の要部拡大説明図である。
【図６】本発明に係る開閉体のロック装置の第２実施形態を示す要部拡大説明図である。
【図７】本発明に係る開閉体のロック装置の第３実施形態を示しており、（ａ）はその要部拡大説明図、（ｂ）は要部拡大斜視図である。
【図８】本発明に係る開閉体のロック装置の第４実施形態を示しており、（ａ）はロック片の先端部がロック部に完全に挿入された状態の要部拡大説明図、（ｂ）はロック片の先端部がロック部に完全に挿入されていない状態の要部拡大説明図である。
【図９】本発明に係る開閉体のロック装置の第５実施形態を示しており、（ａ）はロック片の先端部がロック部に完全に挿入された状態の要部拡大説明図、（ｂ）はロック片の先端部がロック部に完全に挿入されていない状態の要部拡大説明図である。
【図１０】本発明に係る開閉体のロック装置の第６実施形態を示す要部拡大説明図である。
【図１１】本発明に係る開閉体のロック装置の第７実施形態を示しており、（ａ）はその要部拡大説明図、（ｂ）は要部拡大斜視図である。
【図１２】本発明に係る開閉体のロック装置の第８実施形態を示しており、（ａ）はロック片の先端部がロック部に完全に挿入された状態の要部拡大説明図、（ｂ）はロック片の先端部がロック部に完全に挿入されていない状態の要部拡大説明図である。
【図１３】本発明に係る開閉体のロック装置の第９実施形態を示す要部拡大説明図である。
【図１４】本発明に係る開閉体のロック装置における、開閉体の押し込み時のクッション部材及びその他の部材の関係を示しており、（ａ）は開閉体を完全に閉じてない状態の説明図、（ｂ）は開閉体を閉じた状態の説明図、（ｃ）は開閉体を閉じた状態から更に押圧された状態の説明図である。
【図１５】本発明に係る開閉体のロック装置における、クッション部材の、荷重に対するクッションストローク量（弾性変形量）の関係を示す図表である。
【発明を実施するための形態】
【００１８】
以下、図１〜５、図１４及び図１５を参照して、本発明に係る開閉体のロック装置の、第１実施形態について説明する。
【００１９】
図５に示すように、この実施形態における開閉体のロック装置１０（以下、「ロック装置１０」という）は、車両のインストルメントパネルに設けられたグローブボックス等の、固定体１の開口部２に、開閉可能に取付けられる開閉体３０を、開閉ロックするために用いられるものである。
【００２０】
なお、開閉体のロック装置としては、例えば、インストルメントパネルの開口部に箱状のグローブボックスが回動可能に取付けられた構造に適用したり（この場合、インストルメントパネルが「固定体」、グローブボックスが「開閉体」をなす）、或いは、インストルメントパネルの開口部にリッドが開閉可能に取付けられた構造（この場合、インストルメントパネルが「固定体」、リッドが「開閉体」をなす）に適用したりしてもよく、固定体の開口部を開閉する各種の開閉体に広く用いることができる。
【００２１】
図５に示すように、この実施形態では、固定体１の開口部２の内面にロック部２０，２０が設けられている。また、固定体１の開口部２の両側周縁から広がる前壁４，４には、取付孔４ａ，４ａが形成されており、各取付孔４ａにクッション部材８０が、クッション部８５を開閉体３０側に向けてそれぞれ取付けられている。各クッション部材８０は、筒状をなし前記取付孔４ａに挿入されて固定されるケース８１と、該ケース８１内に、軸方向に沿ってスライド可能に支持され、先端部にクッション部８５が設けられた軸部８３と、該クッション部８５を、固定体１側に向けて付勢するバネ８７とから構成されている。なお、この実施形態のクッション部材は、バネ入りのクッション部材であるが、これに限定されず、単なるゴムやラバーや、フェルト、金属板バネ等の、いくらかの弾性を有するものであれば何でもよい。
【００２２】
一方、開閉体３０の、固定体１の開口部２に挿入される部分は、箱状をなしており、この内部に後述する、取付ベース４０や回転体５０が配置されると共に、ロック片７０，７１がスライド可能に配置されている。また、開閉体３０の箱状部分の両側壁３１，３１には、ロック片７０，７１のスライド動作を支持するための、支持孔３１ａ，３１ａが形成されている（図５参照）。
【００２３】
また、図１に示すように、この実施形態のロック装置１０は、開閉体３０に取付けられる取付ベース４０と、該取付ベース４０に回動可能に取付けられた回転体５０と、前記開閉体３０の左右方向に回動可能となるように、前記取付ベース４０に取付けられた操作部材６０と、前記回転体５０に取付けられ、先端部７５がロック部２０に係脱する一対のロック片７０，７１と、ロック片７０の先端部７５を、ロック部２０に係合する方向に付勢する、ねじりコイルバネ９０（本発明における「付勢手段」をなす）とを有している。
【００２４】
図１に示すように、前記取付ベース４０には、その両側部の所定箇所に、突片を介して取付軸４１，４１が設けられており、これらが操作部材６０の両側の取付孔６１，６１に挿入されて、取付ベース４０に対して操作部材６０が左右方向に回動可能に取付けられている（図２参照）。
【００２５】
また、取付ベース４０の、前記取付軸４１，４１の間には、移動孔４３が取付ベース４０を貫通して形成されており、該移動孔４３に操作部材６０の回動端部側に突設された押圧突起６３が移動可能に挿入される。更に取付ベース４０の所定位置からは支軸４５が突設されており、これが回転体５０の中央に設けた支持孔５１に挿入されて、回転体５０が回転可能に取付けられている（図２参照）。
【００２６】
一方、回転体５０は、前記支持孔５１の周縁から筒部５３が突設され、その外周にねじりコイルバネ９０が装着されている。図２に示すように、ねじりコイルバネ９０は、その一端が取付ベース４０の突起４６に係止され、他端が回転体５０の外周に係止されて、回転体５０を図３の矢印Ａ方向に回動付勢する。
【００２７】
また、回転体５０の、取付ベース４０側の面には、前記移動孔４３内に配置される受け部５５が突設されている。したがって、操作部材６０を取付ベース４０から離れる方向に回動させると、その押圧突起６３が前記受け部５５を押圧して、ねじりコイルバネ９０の回動付勢力に抗して、回転体５０を回動付勢方向とは反対方向に回動させる。更に、回転体５０の周方向に対向する箇所からは、嵌合突起５７，５７が突設されている。
【００２８】
図１に示すように、この実施形態におけるロック片７０，７１は、ロック片７０の方が、ロック片７１よりも短く形成された略角棒状をなしている。各ロック片７０，７１の基端部７３は、回転体５０側が開口した凹状をなし、回転体５０の嵌合突起５７，５７を嵌合させることで、回転体５０の周方向対向位置に、ロック片７０，７１の基端部７３，７３が枢支される。また、回転体５０が、ねじりコイルバネ９０で回動付勢されているため、同回転体５０に連結されたロック片７０，７１の先端部７５，７５が、図５（ｂ）の矢印Ａに示すように、ロック部２０，２０に係合する方向に付勢されている。なお、ロック片７０，７１は共に、その基端部７３が回転体５０に連結されているため、一方のロック片のスライド動作に連動して、他方のロック片がスライド動作する。
【００２９】
また、ロック片７０，７１の先端部７５の付勢構造としては、例えば、引張りばね等を用いて、ロック片７０，７１の一方又は両方をスライド付勢することで行ってもよく、特に限定はない。この場合、引張りばねが本発明における「付勢手段」をなす。
【００３０】
ところで、この実施形態では、上述したように固定体１側にロック部２０が設けられている。すなわち、図５に示すように、固定体１の開口部２の内側壁３，３に、角孔状のロック部２０，２０が設けられている。
【００３１】
図５に示すように、固定体１の開口部２を平面方向に沿った断面（水平断面）で見たときに、ロック部２０は、前記ロック片７０，７１の先端部７５が挿入され、図５（ａ）の矢印Ｂに示すように、固定体１の開口部２に対して開閉体３０を開くときに、前記先端部７５が係合して開閉体３０の開き止めをなす第１面２１と、該第１面２１に対して所定間隔をあけて平行に配置された第２面２２とを有している。
【００３２】
更に図５（ａ）に示すように、固定体１の開口部２の内側壁３の内面は、前記ロック部２０の第１面２１に隣接する第１内面５に対して、ロック部２０の第２面２２に隣接する第２内面６が、開口部２の内側（すなわち、ロック片７０，７１の基端部７３側）に寄るように位置ずれして形成されており、第１内面５と第２内面６との間に段差が設けられている。また、開口部２の、開閉体３０側の両縁部８，８は、丸みを帯びた形状をなしており、開閉体３０を閉じるときに、ロック片７０，７１の先端部７５が当接して、該先端部７５を押し込む部分となる。なお、ロック部２０の第２面２２と、ロック部２０に挿入された状態のロック片７０，７１の先端部７５とのクリアランスは、少なくとも０〜２ｍｍであることが好ましく、０．２〜０．５ｍｍであることがより好ましい。
【００３３】
再び、ロック片７０，７１の説明に戻ると、図５に示すように、ロック片７０，７１の先端部７５には、ロック部２０の第１面２１側の、ロック片とロック部との係合しろの方が、第２面２２側の、ロック片とロック部との係合しろよりも長くなるように（ロック部２０の第１面２１側が長く第２面側２２側が短くなるように）、テーパ面７７が設けられている。なお、ロック片とロック部との係合しろとは、ロック部が設けられる、固定体の開口部の側壁、又は、開閉体の側壁に、ロック片の先端部が係合し得る長さをいう。また、ロック片７０，７１の、ロック部２０の第２面２２側には、前記テーパ面７７に連続してロック部２０の第１面２１側の面７８と平行に伸びる、直線部７９が設けられている。更に、ロック部２０の第２面２２に対するロック片とロック部の係合しろは、ロック部２０の第２面２２に、ロック片７０，７１の直線部７９が係合し得る長さとなる。なお、図５に示すように、この実施形態におけるロック片７０，７１のテーパ面７７は、緩やかな曲面状をなしている。
【００３４】
そして、このロック装置１０においては、ロック片７０，７１の先端部７５がロック部２０に係合する方向に突出した状態で、開閉体３０を閉じる際には、テーパ面７７が固定体１の開口部２の縁部８に当接して、ロック片７０，７１をねじりコイルバネ９０の付勢力に抗して押し込められるように構成されている。また、図５（ｂ）に示すように、ロック片７０，７１の先端部７５がロック部２０に完全に挿入されておらず係合していない状態では、ロック部２０の第２面２２にロック片７０，７１のテーパ面７７が対向して配置され、図５（ａ）に示すように、ロック片７０，７１の先端部７５がロック部２０に完全に挿入されて係合した状態では、直線部７９がロック部２０の第２面２２に対向するように構成されている。
【００３５】
なお、本発明において、「ロック片の先端部とロック部とが係合した状態」とは、ロック片がロック部に完全に挿入されて、開閉体を固定体に対して開き止めし得る状態、すなわち、ロック部の第１面に、ロック片の先端部が対向して配置され、開閉体を開いたときに、ロック片の先端部がロック部に係合して、開閉体が開かない状態をいう。
【００３６】
更に、このロック装置１０においては、クッション部材８０との関係で、次のような構成をなしている。
【００３７】
図１４には、開閉体の押し込み時の、クッション部材の構造が、模式的に示されているが、（ａ）に示すように、開閉体を閉じてない状態では、クッション部材８０の、取付面４ｂからの突出長さが最大となっており、（ｂ）に示すように、開閉体３０を閉じてクッション部材８０に当接すると、クッション部材８０が押圧されて、取付面４ｂからの突出長さが減少し、更に開閉体３０を閉じると、（ｃ）に示すように、クッション部材８０が押圧されて突出長さが減少する。
【００３８】
すなわち、クッション部材８０は、開閉体３０を閉じたときに押圧されて、開閉体３０を開き方向に付勢していると共に、開閉体３０を閉じた状態から、更に開閉体３０が押圧されたときに、固定体１の取付面４ｂからの突出長さが所定長さ減少するように構成されており（図１４（ｃ）参照）、その減少範囲内で、図５に示すように、ロック片７０，７１の直線部７９が、ロック部２０の第２面２２に当接するようになっている。
【００３９】
また、図１５には、ゴムクッション及びバネ内臓クッション（クッション部材８０に相当）の、荷重に対するクッションストローク量（弾性変形量）が記載されている。図１４を併せて説明すると、図１５の「リッド閉じ状態」及び図１４（ｂ）に示すように、開閉体３０を閉じた際の、クッション部材８０の、取付面４ｂからの突出長さを１とする。そして、図１４（ｂ）の開閉体３０を閉じた状態から更に開閉体３０が押圧されて、クッション部材８０の、取付面４ｂからの突出長さが所定長さ減少する際に、クッション部材８０がフルストロークして図１５の「最大押し込み範囲」に至る前の、図１４（ｃ）に示される取付面４ｂからの突出長さが１/３となるまでの間に、ロック片７０，７１の直線部７９がロック部２０の第２面２２に当接して（図５参照）、それ以上の押し込みが規制されるように構成されている。
【００４０】
次に、上記構造からなるロック装置１０の作用効果について説明する。
【００４１】
すなわち、固定体１の開口部２を閉じるべく、開閉体３０を押し込むと、ロック片７０，７１の先端部７５のテーパ面７７が、開口部２の両側周縁の縁部８に当接して、ねじりコイルバネ９０の付勢力に抗して、ロック片７０，７１が押し込められ、その先端部７５がロック部２０に至ると、ねじりコイルバネ９０の付勢力によって、回転体５０を介してロック片７０，７１の先端部７５がロック部２０に向けて押し出される。
【００４２】
そして、ロック片７０，７１がスムーズにロック部２０に完全に挿入されて係合した場合には、ロック片７０，７１がロック部２０の第１面２１に係合して開き止めがなされ、開閉体３０を更に押し込んでも、ロック片７０，７１の直線部７９がロック部２０の第２面２２に係合するので、開閉体３０のそれ以上の押し込みが規制される。
【００４３】
また、ロック片７０，７１がロック部２０に完全に挿入されずに係合しないまま、開閉体３０が更に押し込まれて、ロック片７０，７１のテーパ面７７が、ロック部２０の第２面２２に当接した場合には、ねじりコイルバネ９０の付勢力によって、ロック片７０のテーパ面７７が、ロック部２０の第２面２２に当接しながら、開閉体３０が開き方向に戻りつつ、ロック片７０がロック部２０側に向けて押し出されていき（図５（ｂ）の破線参照）、先端部７５がロック部２０に完全に挿入されて係合する（図５（ｂ）の二点鎖線参照）。
【００４４】
また、図５（ｂ）に示すように、寸法バラツキによって、固定体１の開口部２の内面両側に設けたロック部２０，２０の位置が整合しておらず、開口部２に対して開閉体３０を押し込んでいっても、一対のロック片７０，７１の先端部７５がロック部２０，２０に挿入されず、一方のロック片７０の先端部７５のみが、一方のロック部２０に部分的に挿入される、いわゆる片掛かり状態が生じた場合であっても、クッション部材８０の弾性変形範囲内において、開閉体３０を通常の閉じ位置よりも更に押し込むこと、すなわち、開閉体３０をオーバーストロークさせる方向に押し込むことによって、上述したように、ロック片７０のテーパ面７７及びロック部２０の第２面２２を介して、一方のロック片７０の先端部７５を一方のロック部２０に完全に挿入できるので、それに連動して他方のロック片７０の先端部７５も、他方のロック部２０に完全に挿入されて、その直線部７９をロック部２０の第２面２２に係合させることができる（図５（ｂ）の二点鎖線参照）。
【００４５】
上記のように、一対のロック片７０，７１の先端部７５，７５が、ロック部２０，２０に完全に挿入されると、開閉体３０の両側部裏側が、クッション部材８０，８０のクッション部８５，８５に当接して、開閉体３０がクッション部材８０，８０によって、図５（ａ）の矢印Ｂに示す開き方向に付勢され、ロック片７０，７１の先端部７５が、ロック部２０，２０の第１面２１，２１に押圧されて係合するので、開閉体３０をガタ付きなく閉じた状態にロックすることができる（図３及び図５（ａ）参照）。
【００４６】
そして、開閉体３０をクッション部材８０の付勢力に抗して更に押し込もうとすると、ロック片７０，７１の直線部７９，７９が、ロック部２０，２０の第２面２２，２２に係合するので、開閉体３０がそれ以上押し込まれることが規制されて、開閉体３０のぶかつきを抑制して、剛性感を高めることができる。
【００４７】
また、この実施形態においては、図５（ａ）に示すように、開口部２の内面は、ロック部２０の第１面２１に隣接する第１内面５に対して、ロック部２０の第２面２２に隣接する第２内面６が、開口部２の内側に寄るように位置ずれして形成されているので、ロック片７０，７１の先端部７５が、ロック部２０に挿入されて係合するときに、ロック片７０，７１の各直線部７９を、ロック部２０の第２面２２に係合させやすくすることができる。
【００４８】
更に、この実施形態においては、クッション部材８０は、バネ８７を有する構造をなしているので、全体がゴム等の弾性材料で形成されたクッション部材に比べて、へたりにくく経年劣化しにくくすることができる。
【００４９】
また、この実施形態においては、開閉体３０を閉じた状態から、更に開閉体３０が押圧されたときに、クッション部材８０の、固定体１の取付面４ｂからの突出長さが所定長さ減少するように構成され（図１４（ｃ）参照）、その減少範囲内で、図５に示すように、ロック片７０，７１の直線部７９が、ロック部２０の第２面２２に当接するようになってる。
【００５０】
そのため、開閉体３０が押されて、クッション部材８０が最大限圧縮されて、これ以上突出長さが減少しない状態（弾性変形しない状態）に至る前に、つまりクッション部材８０がフルストロークに達する前に、確実にロック片７０，７１の直線部７９をロック部２０の第２面２２に当接させることができ、開閉体３０のぶかつきを、より効果的に抑制することができる。
【００５１】
更にこの実施形態においては、クッション部材８０の取付面４ｂからの突出長さを１としたとき、開閉体３０を閉じた状態から更に開閉体３０が押圧されて、クッション部材８０の、取付面４ｂからの突出長さが所定長さ減少する際に、図１４（ｃ）に示すように、取付面４ｂからの突出長さが１/３となるまでの間に、ロック片７０，７１の直線部７９がロック部２０の第２面２２に当接するので、クッション部材８０がフルストロークに達する以前に、より確実にロック片７０，７１の直線部７９をロック部２０の第２面２２に当接させることができ、開閉体３０のぶかつきを、より一層効果的に抑制することができる。
【００５２】
なお、固定体１の開口部２から開閉体３０を開く場合には、操作部材６０を開閉体３０の表面から離れる方向に回動させることで、ねじりコイルバネ９０の回動付勢力に抗して、図４に示すように、一対のロック片７０，７１の先端部７５，７５が、ロック部２０，２０から離れる方向にスライドするので、開閉体３０を開くことができる。
【００５３】
また、この実施形態における操作部材６０は、左右方向に回動可能な構造としたが、例えば、取付ベース４０に対して上下方向に回動可能なレバー状にして、回転体５０を回動させたり、回転体５０を直接的に回動させる回転ノブ状としたり、或いは、取付ベース４０に対して押し込み可能なボタン状にして、回転体５０を回動させたりしてもよく、特に限定はされない。更に、この実施形態では、スライド可能な左右一対のロック片７０，７１を有する、いわゆるサイドロック構造をなしているが、ロック片を１本としたり、３本以上にしたりしてもよく、特に限定はない。また、一対のロック片をスライド動作させる構造としては、回転体のみならず、例えば、ピニオンギヤを採用すると共に、一対のロック片にラック溝をそれぞれ形成しておき、このラック溝に前記ピニオンギヤに歯合させて、一方のロック片をスライドさせることで、ピニオンギヤを介して他方のロック片をスライドさせるようにしてもよく、特に限定はされない。
【００５４】
図６には、本発明に係る開閉体のロック装置の、第２実施形態が示されている。なお、前記実施形態と実質的に同一部分には同符号を付してその説明を省略する。
【００５５】
図６に示すように、第２実施形態の開閉体のロック装置１０Ａ（以下、「ロック装置１０Ａ」）は、ロック部２０の構造が前記第１実施形態と異なっている。なお、その他の部分は、前記実施形態と概ね同様であり、固定体１の開口部２側にロック部２０が設けられ、開閉体３０側にロック片７０，７１がスライド可能に配置された構造となっている。
【００５６】
この第２実施形態では、開口部２の内面の第１内面５及び第２内面６が、段差がなく位置ずれのないほぼ面一状態となっていると共に、第１内面６に隣接した開口部周縁の手前側の縁部８が、直線状のテーパ面となっている。また、ロック片７０，７１の先端部７５のテーパ面７７も直線状をなしている。
【００５７】
そして、この第２実施形態では、ロック片７０，７１の先端部７５がロック部２０に完全に挿入されずに係合していない状態では、ロック部２０の第２面２２にロック片７０，７１のテーパ面７７が対向して配置され、ロック片７０，７１の先端部７５がロック部２０に完全に挿入されて係合した状態では、直線部７９がロック部２０の第２面２２に対向して配置されるように構成されている。したがって、ロック部２０の第２面２２にロック片７０，７１のテーパ面７７が当接した場合には、テーパ面７７に沿ってロック片７０、７１が押し出されることによって、ロック片７０，７１を完全に挿入して係合させることができる。また、ロック片７０，７１がロック部２０に完全に挿入されて係合した状態では、開閉体３０を更に押し込むと、直線部７９が第２面２２に係合して、それ以上の押し込みを規制するので、開閉体３０のぶかつきを抑制することができる。
【００５８】
図７には、本発明に係る開閉体のロック装置の、第３実施形態が示されている。なお、前記実施形態と実質的に同一部分には同符号を付してその説明を省略する。
【００５９】
図７に示すように、第３実施形態の開閉体のロック装置１０Ｂ（以下、「ロック装置１０Ｂ」）は、ロック部２０の構造が前記第１，第２実施形態と異なっている。なお、固定体１の開口部２側にロック部２０が設けられ、開閉体３０側にロック片７０，７１がスライド可能に配置されている点では、前記第１，第２実施形態と同様である。
【００６０】
図７（ｂ）に示すように、この第３実施形態では、開口部２の内側壁３，３の内面であって、ロック部２０の第２面２２側の幅方向中央部周縁から、開口部２内方に向かってリブ２３が突設されており、その結果、図７（ａ）に示すように、開口部２の第１内面５に対して、第２内面６のリブ形成部分が、開口部２の内側（ロック片７０，７１の基端部７３側）に寄って位置ずれして形成されている。
【００６１】
そして、この第３実施形態においても、ロック片７０，７１の先端部７５がロック部２０に完全に挿入されずに係合していない状態では、ロック部２０の第２面２２にロック片７０，７１のテーパ面７７が対向して配置され、ロック片７０，７１の先端部７５がロック部２０に完全に挿入されて係合した状態では、直線部７９がロック部２０の第２面２２に対向して配置されるように構成されている。それによって、ロック片７０，７１がロック部２０に完全に挿入された状態で、開閉体３０を更に押し込むと、直線部７９が第２面２２に係合して、それ以上の押し込みを規制するので、開閉体３０のぶかつきを抑制することができる。
【００６２】
図８には、本発明に係る開閉体のロック装置の、第４実施形態が示されている。なお、前記実施形態と実質的に同一部分には同符号を付してその説明を省略する。
【００６３】
図８に示すように、この第４実施形態の開閉体のロック装置１０Ｃ（以下、「ロック装置１０Ｃ」）は、ロック部２０Ａの構造が、前記第１〜第３実施と異なっている。なお、固定体１の開口部２側にロック部２０Ａが設けられ、開閉体３０側にロック片７０Ａ，７１Ａがスライド可能に配置されている点では、前記第１〜第３実施形態と同様である。
【００６４】
この第４実施形態では、開口部２の開閉体３０側の両縁部、すなわち、ロック部２０Ａの、開き止めをなす第１面２１に隣接した面であって、第２面２２から離れる方向に伸びる面には、開閉体３０を閉じるとき、ロック片７０Ａ，７１Ａの先端部７５が当接して、ロック片７０Ａ，７１Ａを押し込む方向に案内するガイド面２４，２４がそれぞれ形成されている。
【００６５】
そして、ロック部２０Ａの第２面２２に隣接した面であって、第１面２１から離れる方向に伸びる面には、第２面２２から離れながら、ロック片７０，７１の係合解除方向へ伸びる（第２面２２から離れるほど、ロック片７０Ａ，７１Ａの基端部７３側に近づく）テーパ面２５が形成されている。
【００６６】
一方、ロック片７０Ａ，７１Ａは、その先端部７５にテーパ面のない角棒状をなしており、同ロック片７０Ａ，７１Ａの、ロック部２０Ａの第２面２２側の面に、第１面２１側の面と平行に伸びる直線部７９が設けられている。
【００６７】
そして、この第４実施形態においては、ロック片７０Ａ，７１Ａの先端部７５がロック部２０Ａに係合する方向に突出した状態で、開閉体３０を閉じる際には、ガイド面２４，２４がロック片７０Ａ，７１Ａの先端部７５に当接して、ロック片７０Ａ，７１Ａをねじりコイルバネ９０の付勢力に抗して押し込められるように構成されている。更に図８（ｂ）に示すように、ロック片７０Ａ，７１Ａの先端部７５がロック部２０Ａに完全に挿入されずに係合していない状態では、ロック部２０Ａのテーパ面２５に、ロック片７０Ａ，７１Ａの先端部７５が対向して配置され、図８（ａ）に示すように、ロック片７０Ａ，７１Ａの先端部７５がロック部２０Ａに完全に挿入されて係合した状態では、直線部７９がロック部２０Ａの第２面２２に対向して配置されるように構成されている。
【００６８】
このため、例えば、一方のロック片７０Ａの先端部７５が、ロック部２０Ａに完全に挿入されずに係合しない状態となった場合には、ロック部２０Ａのテーパ面２５に、ロック片７０Ａの先端部７５が当接するので、ねじりコイルバネ９０で付勢されているロック片７０Ａが、ロック部２０Ａのテーパ面２５に沿って向けて押し出されていき（図８（ｂ）の破線参照）、開閉体３０が開き方向に戻りつつ、先端部７５がロック部２０Ａに完全に挿入され、回転体５０を介してロック片７１Ａも連動して、その先端部７５がロック部２０Ａに完全に挿入されて、それらの直線部７９がロック部２０Ａの第２面２２に係合する（図８（ｂ）の二点鎖線参照）。
【００６９】
その結果、開閉体３０をクッション部材８０の付勢力に抗して更に押し込もうとしても、ロック片７０Ａ，７１Ａの直線部７９，７９が、ロック部２０Ａ，２０Ａの第２面２２，２２に係合して、開閉体３０がそれ以上押し込まれることが規制されて、開閉体３０のぶかつきを抑制して、剛性感を高めることができる。
【００７０】
図９には、本発明に係る開閉体のロック装置の、第５実施形態が示されている。なお、前記実施形態と実質的に同一部分には同符号を付してその説明を省略する。
【００７１】
図９に示すように、この第５実施形態の開閉体のロック装置１０Ｄ（以下、「ロック装置１０Ｄ」）は、前記第１〜第４実施形態に対して、ロック部２０が開閉体３０側に設けられ、ロック片７０，７１が固定体１の開口部２側にスライド可能に配置されている点が異なっており、概ね、前記第１実施形態のロック装置１０に対して、ロック部２０及びロック片７０，７１を反対側に設けたような構造となっている。
【００７２】
図９に示すように、開閉体３０の、固定体１の開口部２に挿入される箱状部分の両側壁３１，３１の外面に、ロック部２０，２０が設けられている。この第５実施形態のロック部２０の、図９（ａ）の矢印Ｂに示す方向に開閉体３０を開くときに、ロック片７０，７１の先端部７５が係合して開閉体３０の開き止めをなす、第１面２１は、前記第１〜第４実施形態のロック部２０の第１面２１とは反対方向（開口部２の奥方向）に配置されている。
【００７３】
また、図９に示すように、開閉体３０の箱状部分の両側壁３１，３１の外面は、ロック部２０の第１面２１に隣接する第１外面３６に対して、ロック部２０の第２面２２に隣接する第２外面３７が、開閉体３０の外側（ロック片７０，７１の基端部７３側）に寄るように位置ずれして形成されており、第１外面３６と第２外面３７との間に段差が設けられている。
【００７４】
なお、開閉体３０の箱状部分の奥壁３２には取付孔３２ａ，３２ａが形成されており、クッション部８５を固定体１の開口部２の底面に向けて、クッション部材８０，８０が取付けられている。また、開閉体３０の箱状部分の、先端側の両縁部３３，３３は、丸みを帯びた形状をなし、開閉体３０を閉じるときに、ロック片７０，７１の先端部７５が当接して、該先端部７５を押し込む部分となる。
【００７５】
また、クッション部材８０は、開閉体３０の奥壁３２の取付面３２ｂから所定長さ突出して取付けられており、上述した第１実施形態と同様に、開閉体３０を閉じたときに押圧されて、開閉体３０を開き方向に付勢していると共に、開閉体３０を閉じた状態から、更に開閉体３０が押圧されたときに、開閉体３０の取付面３２ｂからの突出長さが所定長さ減少するように構成され、その減少範囲内で、ロック片７０，７１の直線部７９が、ロック部２０の第２面２２に当接するようになっている（図１４参照）。
【００７６】
一方、固定体１の開口部２の内面には、ロック片７０，７１をスライド支持する支持孔９，９が形成されている。また、ロック片７０，７１は、前記第１〜第４実施形態とは、そのテーパ面７７を反対向きにして配置されており、図９（ｂ）に示すように、テーパ面７７がロック部２０の第２面２２に対向して配置されている（図１０に示す第６実施形態、図１１に示す第７実施形態においても同様）。更に図９（ｂ）の矢印Ｃに示すように、図示しない付勢手段により付勢されるロック片の付勢方向は、開閉体の側壁に向けた方向となっており、前記第１〜第４とは反対方向となっている。
【００７７】
そして、固定体１の開口部２を閉じるべく、開閉体３０を押し込むと、開閉体３０の両縁部３３，３３が、ロック片７０，７１の先端部７５のテーパ面７７に当接して、ロック片７０，７１が押し込められて、その先端部７５がロック部２０に完全に挿入されると、ロック片７０，７１がロック部２０の第１面２１に係合して、開閉体３０を閉じた状態にロックすることができる。
【００７８】
この第５実施形態においても、ロック片７０，７１の先端部７５がロック部２０に完全に挿入されずに係合していない状態では、ロック部２０の第２面２２にロック片７０，７１のテーパ面７７が対向して配置され（図９（ｂ）参照）、ロック片７０，７１の先端部７５がロック部２０に完全に挿入されて係合した状態では、直線部７９がロック部２０の第２面２２に対向して配置される（図９（ａ）参照）ように構成されている。
【００７９】
このため、例えば、一方のロック片７０が、ロック部２０に完全に挿入されずに係合していない状態となった場合には、ロック片７０のテーパ面７５がロック部２０の第２面に当接し、ねじりコイルバネ９０で付勢されているロック片７０が、テーパ面７５に沿って押し出されていき（図９（ｂ）の破線参照）、開閉体３０が開き方向に戻りつつ、ロック片７０がロック部２０に完全に挿入され、回転体５０を介してロック片７１も連動して、ロック部２０に完全に挿入されて、それらの直線部７９がロック部２０の第２面２２に係合する（図９（ｂ）の二点鎖線参照）。
【００８０】
そして、ロック片７０，７１がロック部２０に完全に挿入されて係合すると、開閉体３０をそれ以上押し込んでも、ロック片７０，７１の直線部７９がロック部２０の第２面２２に係合して、それ以上の押し込みを規制するので、開閉体３０のぶかつきを抑制することができる。
【００８１】
図１０には、本発明に係る開閉体のロック装置の、第６実施形態が示されている。なお、前記実施形態と実質的に同一部分には同符号を付してその説明を省略する。
【００８２】
図１０に示すように、この第６実施形態の開閉体のロック装置１０Ｅ（以下、「ロック装置１０Ｅ」）は、ロック部２０が開閉体３０側に設けられ、ロック片７０，７１が固定体１の開口部２側にスライド可能に配置され、概ね、前記第２実施形態のロック装置１０Ａ（図６参照）に対して、ロック部２０及びロック片７０，７１を反対側に設けたような構造となっている。
【００８３】
また、この第６実施形態では、開閉体３０の箱状部分の両側壁３１，３１の外面の、第１外面３６及び第２外面３７が、段差がなく位置ずれのないほぼ面一状態となっている。
【００８４】
そして、この第６実施形態では、ロック片７０，７１の先端部７５がロック部２０に完全に挿入されずに係合していない状態では、ロック部２０の第２面２２にロック片７０，７１のテーパ面７７が対向して配置され、ロック片７０，７１の先端部７５がロック部２０に完全に挿入されて係合した状態で、直線部７９がロック部２０の第２面２２に対向して配置されるように構成されているので、前記実施形態と同様に、開閉体３０のぶかつきを抑制することができる。
【００８５】
図１１には、本発明に係る開閉体のロック装置の、第７実施形態が示されている。なお、前記実施形態と実質的に同一部分には同符号を付してその説明を省略する。
【００８６】
図１１に示すように、この第７実施形態の開閉体のロック装置１０Ｆ（以下、「ロック装置１０Ｆ」）は、ロック部２０が開閉体３０側に設けられ、ロック片７０，７１が固定体１の開口部２側にスライド可能に配置され、概ね、前記第３実施形態のロック装置１０Ｂ（図７参照）に対して、ロック部２０及びロック片７０，７１を反対側に設けたような構造となっている。
【００８７】
図１１（ｂ）に示すように、この第７実施形態では、開閉体３０の両側壁３１，３１の外面であって、ロック部２０の第２面２２側の幅方向中央部周縁から、開口部２内方に向かってリブ２３が突設されており、その結果、図１１（ａ）に示すように、開閉体３０の第１外面３６に対して、第２外面３７のリブ形成部分が、開閉体３０の外側（ロック片７０，７１の基端部７３側）に寄って位置ずれして形成されている。
【００８８】
そして、この第７実施形態では、ロック片７０，７１の先端部７５がロック部２０に完全に挿入されずに係合していない状態では、ロック部２０の第２面２２にロック片７０，７１のテーパ面７７が対向して配置され、ロック片７０，７１の先端部７５がロック部２０に完全に挿入されて係合した状態では、直線部７９がロック部２０の第２面２２に対向して配置されるように構成されているので、前記実施形態と同様に、開閉体３０のぶかつきを抑制することができる。
【００８９】
図１２には、本発明に係る開閉体のロック装置の、第８実施形態が示されている。なお、前記実施形態と実質的に同一部分には同符号を付してその説明を省略する。
【００９０】
図１２に示すように、この第８実施形態の開閉体のロック装置１０Ｇ（以下、「ロック装置１０Ｇ」）は、ロック部２０が開閉体３０側に設けられ、ロック片７０，７１が固定体１の開口部２側にスライド可能に配置され、概ね、前記第４実施形態のロック装置１０Ｃ（図８参照）に対して、ロック部２０Ａ及びロック片７０Ａ，７１Ａを反対側に設けたような構造となっている。
【００９１】
この第８実施形態では、開閉体３０の箱状部分の先端側両縁部、すなわち、ロック部２０、開き止めをなす第１面２１に隣接した面であって、第２面２２から離れる方向に伸びる面に、開閉体３０を閉じるとき、ロック片７０Ａ，７１Ａの先端部７５が当接して、ロック片７０Ａ，７１Ａを押し込む方向に案内するガイド面２４，２４が形成されている。また、開閉体３０の両側壁３１，３１の外面であって、ロック部２０Ａの第２面２２に隣接した面に、第２面２２から離れるほど、ロック片７０Ａ，７１Ａの基端部７３側に近づくテーパ面２５が形成されている。
【００９２】
そして、この第８実施形態では、ロック片７０Ａ，７１Ａの先端部７５がロック部２０Ａに完全に挿入されずに係合していない状態では、ロック部２０Ａのテーパ面２５に、ロック片７０Ａ，７１Ａの先端部７５が対向して配置され（図１２（ｂ）参照）、ロック片７０Ａ，７１Ａの先端部７５がロック部２０Ａに完全に挿入されて係合した状態では、直線部７９がロック部２０Ａの第２面２２に対向して配置されるように構成されているので（図１２（ａ）参照）、前記実施形態と同様に、開閉体３０のぶかつきを抑制することができる。
【００９３】
図１３には、本発明に係る開閉体のロック装置の、第９実施形態が示されている。なお、前記実施形態と実質的に同一部分には同符号を付してその説明を省略する。
【００９４】
この第９実施形態の開閉体のロック装置１０Ｈ（以下、「ロック装置１０Ｈ」）は、開閉体３０の上方壁部に、ロック片７０Ｂがスライド可能に配置されている点で、前記第１〜第８の実施形態と異なっている。また、固定体１の開口部２側にロック部２０が設けられ、開閉体３０側にロック片７０Ｂがスライド可能に配置されている点は、前記第１〜第４実施形態と同様である。
【００９５】
図１３に示すように、この第９実施形態では、固定体１の開口部２の上部内面に、第１面２１及び第２面２２を有するロック部２０が設けられている。
【００９６】
一方、開閉体３０の上方には凹部３４が形成され、該凹部３４内に取付ベース４０Ａが取付けられている。この取付ベース４０Ａには、付勢手段であるコイルスプリング９１を介して、ロック片７０Ｂが先端部７５を上向きにしてスライド可能に配置されており、常時は先端部７５が前記ロック部２０に挿入する方向に付勢されている。また、取付ベース４０Ａには、操作部材６０Ａが引き上げ動作可能に取付けられている。したがって、操作部材６０Ａを引き上げると、その裏側に設けた押圧突起６３Ａが、ロック片７０Ｂに設けた受け部７２を押圧し、コイルスプリング９１の付勢力に抗して、ロック片７０Ｂの先端部７５を、ロック部２０から離れるようにスライドさせる。
【００９７】
そして、この第９実施形態では、ロック片７０Ｂの先端部７５がロック部２０に完全に挿入されずに係合していない状態では、ロック部２０の第２面２２にロック片７０Ｂのテーパ面７７が対向して配置され、ロック片７０Ｂの先端部７５がロック部２０に完全に挿入されて係合した状態では、直線部７９がロック部２０の第２面２２に対向して配置されるように構成されているので、前記実施形態と同様に、開閉体３０のぶかつきを抑制することができる。
【００９８】
なお、本発明は、上述した実施形態に限定されるものではなく、本発明の要旨の範囲内で、各種の変形実施形態が可能であり、そのような実施形態も本発明の範囲に含まれる。
【符号の説明】
【００９９】
１  固定体
２  開口部
１０，１０Ａ，１０Ｂ，１０Ｃ，１０Ｄ，１０Ｅ，１０Ｆ，１０Ｇ，１０Ｈ  開閉体のロック装置（ロック装置）
２０，２０Ａ  ロック部
２１  第１面
２２  第２面
２４  ガイド面
２５  テーパ面
３０  開閉体
４０，４０Ａ  取付ベース
５０  回転体
６０，６０Ａ  操作部材
７０，７０Ａ，７０Ｂ，７１，７１Ａ  ロック片
７３  基端部
７５  先端部
７７，７７Ａ  テーパ面
７９  直線部
８０  クッション部材
８５  クッション部
９０  コイルバネ（付勢手段）
９１  コイルスプリング（付勢手段）
【図１】
2016163365.tif 000003
【図２】
2016163365.tif 000004
【図３】
2016163365.tif 000005
【図４】
2016163365.tif 000006
【図５】
2016163365.tif 000007
【図６】
2016163365.tif 000008
【図７】
2016163365.tif 000009
【図８】
2016163365.tif 000010
【図９】
2016163365.tif 000011
【図１０】
2016163365.tif 000012
【図１１】
2016163365.tif 000013
【図１２】
2016163365.tif 000014
【図１３】
2016163365.tif 000015
【図１４】
2016163365.tif 000016
【図１５】
2016163365.tif 000017
【国際調査報告】
2016163365.tif 000018
2016163365.tif 000019